(57)【要約】【課題】半球状の真珠を用いつつ装飾品としての価値を損なうことのない球状の真珠を提供する。【解決手段】加飾真珠１０は、一対の半球状の半真珠１１，１２が組み合わされて球状の真珠に形成される。上記半真珠１１，１２同士によって形成される、環状の境界１７を含む球状真珠の表面には不透明な模様１６が施されている。この模様１６は、球状真珠の表面における単位面積当たりの模様１６が視認される領域と真珠層１３が視認される領域との割合の変化により、境界１７に対応する部分では高密度又は濃く描かれ、境界１７以外の部分では低密度又は薄く描かれる。【選択図】図１
2018064865.tif 000002
【特許請求の範囲】
【請求項１】
一対の半球状の真珠が組み合わされて球状の真珠に形成され、
前記半球状の真珠同士によって形成される、環状の境界を含む前記球状の真珠の表面に、不透明な模様が施されていることを特徴とする加飾真珠。
【請求項２】
前記模様は、前記球状の真珠の表面における単位面積当たりの前記模様が視認される領域と前記球状の真珠の真珠層が視認される領域との割合の変化により、前記境界と比べて前記境界以外が徐々に薄くなる部分を有している、請求項１に記載の加飾真珠。
【請求項３】
前記球状の真珠の真珠層の表面側に、補強用の第１コーティング層が形成され、
前記第１コーティング層の表面側に前記模様が形成され、
前記模様の表面側に、補強用の第２コーティング層が形成されている、請求項１又は２に記載の加飾真珠。
【請求項４】
前記半球状の真珠は半円真珠である、請求項１〜３のいずれか１項に記載の加飾真珠。
【請求項５】
前記半球状の真珠は、真珠核が除去された半球殻状に形成されており、
前記半球殻状の真珠の内部には、接着剤が充填されており、
前記接着剤は、一対の前記半球殻状の真珠によって形成される内部球状空間の全体にいきわたらせた球状に形成されている、請求項１〜４のいずれか１項に記載の加飾真珠。
【請求項６】
前記接着剤は歯科用の接着性コンポジットレジンである、請求項５に記載の加飾真珠。
【請求項７】
一対の半球状の真珠を組み合わせて、球状の真珠を形成する第１工程と、
前記半球状の真珠同士の境界を含む前記球状の真珠の表面に、模様を施す第２工程と、
を備えることを特徴とする加飾真珠の製造方法。
【請求項８】
前記第１工程と前記第２工程との間に、前記球状の真珠の表面全域に、第１コーティング層を施す第１コーティング工程を備え、
前記第２工程の後に、前記球状の真珠の表面全域に、第２コーティング層を施す第２コーティング工程を備える、請求項７に記載の加飾真珠の製造方法。
【請求項９】
前記第１工程と前記第１コーティング工程との間に、前記球状の真珠の表面に微細な凹凸を形成する工程を備える、請求項８に記載の加飾真珠の製造方法。
【請求項１０】
前記第１工程は、
前記半球状の真珠から真珠核を除去して、半球殻状の真珠を得る工程と、
前記半球殻状の真珠の内部に、歯科用の接着性コンポジットレジンを充填する工程と、
一対の前記半球殻状の真珠を、その開口縁同士を対向させて前記接着性コンポジットレジンを内部球状空間の全体にいきわたらせた状態で固化させる工程と、
を備える、請求項７〜９のいずれか１項に記載の加飾真珠の製造方法。
【発明の詳細な説明】
【技術分野】
【０００１】
本発明は、加飾真珠及びその製造方法に関する。
【背景技術】
【０００２】
真珠は、宝飾品として利用されており、養殖も盛んに行われている。真珠は貝の内部に入り込んだ又は入れ込んだ真珠核の周りに真珠層が形成されることにより得られる。
【０００３】
しかしながら、多くの場合、真珠がきれいな球形状になっていないと宝飾品としての価値が低くみられがちであり、せっかく収穫した真珠が十分に有効活用できていないのが現状である。
【０００４】
上記現状に鑑み、本発明者は、一部が変形した真珠を半球状にしたり、半円真珠を用いたりして、半球状の真珠を組み合わせて球状の真珠を得ることを想起した。なお、特許調査を行ったところ、かかる発想が特許文献１に開示されていることが判明した。
【先行技術文献】
【特許文献】
【０００５】
【特許文献１】実用新案登録第３０２８８０２号公報
【特許文献２】特許第４４０１５７３号公報
【発明の概要】
【発明が解決しようとする課題】
【０００６】
しかしながら、特許文献１に記載のように単に半球状の真珠を組み合わせて球状の真珠を得るだけでは、半球状の真珠同士の境界が露出してしまい、宝飾品としての価値を損なうものである。
【０００７】
本発明は、上記事情に鑑みてなされたものであり、半球状の真珠を用いつつ装飾品としての価値を損なうことのない球状の真珠を提供することを主たる目的とする。
【課題を解決するための手段】
【０００８】
上記目的を達成するために、本発明に係る加飾真珠は、一対の半球状の真珠が組み合わされて球状の真珠に形成され、前記半球状の真珠同士の境界を含む前記球状の真珠の表面に、模様が施されていることを特徴とする。
【０００９】
また、本発明に係る加飾真珠の製造方法は、一対の半球状の真珠を組み合わせて、球状の真珠を形成する第１工程と、前記半球状の真珠同士の境界を含む前記球状の真珠の表面に、模様を施す第２工程と、を備えることを特徴とする。
【発明の効果】
【００１０】
本発明によれば、半球状の真珠を組み合わせて球状の真珠を得る場合に生じる境界を模様によって目立たなくすることができ、装飾品としての価値を損なうことを抑制できるばかりか、装飾品としての価値を却って高めることも可能となる。
【図面の簡単な説明】
【００１１】
【図１】加飾真珠の一実施の形態を示す正面図。
【図２】図１（ａ）のＡ−Ａ線断面図。
【図３】模様例を示す正面図。
【図４】加飾真珠の製造手順を示す図。
【発明を実施するための形態】
【００１２】
以下に、本発明に係る加飾真珠の一実施の形態について図面を参照しつつ説明する。図１は加飾真珠１０の正面図、図２は図１（ａ）のＡ−Ａ線断面図、図３は模様例を示す正面図である。
【００１３】
図１に示すように、加飾真珠１０は、一対の半球状の真珠（半真珠）１１，１２が組み合わされて球状に形成されている。図２に示すように、各半真珠１１，１２は、半球殻状をなす真珠層１３を備えている。各真珠層１３は、例えば白蝶貝等を真珠母貝に用いた半円真珠から真珠核２２（図４参照）を除去することで形成され、それぞれの開口部を対向させるようにして向い合せで配置されている。
【００１４】
なお、半円真珠は、巻きの厚い真珠を真円真珠よりも短期間で育成し易いため、半円真珠を組み合わせて球状にすることで、効率よく大粒の球状真珠を製造することが可能になる。
【００１５】
図２に示すように、各真珠層１３は、その内側に充填される接着剤１４を介して接合されている。接着剤１４は、各真珠層１３の内部球状空間の全体にいきわたるようにして充填されており、球状をなしている。
【００１６】
ここで、内部に真珠核が詰まった状態の半真珠を用いた場合は、半球体のまま、それらを接着剤等により接合することが考えられる。かかる構成では、半球体同士の境界が球状真珠を二分するように形成されるため、真珠を落下させた場合等に境界に沿って割れ、真珠が両断され易くなることが懸念される。この点、本実施の形態によれば、接着剤１４により加飾真珠１０の内部が一部材化（一体化）されており、境界が形成されない構成とされている。このため、落下等の衝撃が加わっても加飾真珠１０が二分されにくく、耐衝撃性を高めることが可能になる。
【００１７】
接着剤１４としては、歯科用の接着性コンポジットレジン（ガラスやセラミック等のフィラーを合成樹脂に混合したもの）を用いることができる。内部球状空間の全体に接着剤１４を充填させる場合は、接着剤１４を塊状で使用する必要があるところ、歯科用の接着性コンポジットレジンは、体積があっても比較的に短期間で乾燥（硬化）させることができる。このため、乾燥不足による真珠層１３の接合不良や加飾真珠１０の強度低下を好適に抑制することが可能になる。
【００１８】
図２に示すように、真珠層１３の表面側には、第１コーティング層１５、模様１６及び第２コーティング層１８が順次形成されている。なお、図２では、構成を分かり易くするため、第１コーティング層１５、模様１６及び第２コーティング層１８を真珠層１３と同程度の厚みで記載しているが、これらは真珠層１３よりも薄く形成される。
【００１９】
第１コーティング層１５は、真珠層１３の表面全体を球状に覆うようにして設けられている。第１コーティング層１５は、無色透明又は有色透明のガラスコーティングによって形成される。第１コーティング層１５は、補強層として機能する他、模様１６の下地層としても機能する。
【００２０】
図２に示すように、第１コーティング層１５の表面側には、不透明な模様（装飾層）１６が形成されている。模様１６は、例えば、図１に示すように、漆で所定の漆絵１６ａを描き、その上から金粉や銀粉等（以下、単に「金粉」という）１６ｂを蒔く蒔絵技法を用いたものや、漆に金粉を混入させて所定の絵柄を描く蒔絵調のものを用いることができる。なお、図１では、漆絵１６ａの部分と金粉１６ｂの部分とを見分け易くするため、図１（ａ）及び図１（ｂ）に分けて図示している。
【００２１】
模様１６は、一対の真珠層１３によって形成される環状の境界１７を含む加飾真珠１０の表面領域に施され、具体的には、境界１７を覆うようにして施されている。模様１６により境界１７が覆われることで、境界１７を目立ちにくくすることができる。これにより、境界１７を認知しにくくして見栄えを良化できるだけでなく、模様１６による装飾効果を付与することもでき、装飾品としての価値を高めることが可能になる。
【００２２】
模様１６は、境界１７と重なる領域が最も濃く、境界１７以外の領域でそれよりも徐々に薄くなる部分を有するように形成される。すなわち、加飾真珠１０の表面における単位面積当たりの模様１６の密度（模様１６が視認される領域と真珠層１３が視認される領域との割合）が、境界１７とそれ以外の部分とで相違している。具体的には、境界１７から遠ざかるほど漆絵１６ａの低密度化や薄色化がなされたり、境界１７から大きく離れた部分では漆絵１６ａが描かれない構成とされている。さらに、金粉１６ｂを付着させる領域では、境界１７から遠ざかるほど付着量が少量化されている。
【００２３】
この場合、漆絵１６ａや金粉１６ｂの密度が低い部分では真珠層１３を視認し易くなり、また、それらのない部分では真珠層１３を直接視認することが可能になる。このような構成により、真珠としての光沢感が損なわれることなく、境界１７を認知されにくくすることができる。なお、境界１７に対応する部分でのみ模様１６が高密度となると、装飾として見た目が不自然な場合もあるため、境界１７以外の部分にも高密度の領域を設けてもよい。
【００２４】
因みに、図１では模様１６を模式的に記載しているが、模様１６としては、図３（ａ）に示す線画を用いたものや、図３（ｂ）に示すグラデーション模様のように、美的な装飾を施すことができる。これにより、真珠としての上品さを活かしながら芸術的な装飾価値を付与することができ、加飾真珠としての魅力を向上させることが可能になる。
【００２５】
また、図１（ａ）では、密度や濃さの違いを分かり易くするため、敢えて濃い部分と薄い部分との境界が分かるように記載しているが、実際には密度や濃さは滑らかに変化し、上記境界が識別不能又は識別困難とされている。
【００２６】
既に説明したように、本実施の形態では、模様１６の下地層として、ガラスコーティングによる第１コーティング層１５が設けられている。これにより、模様１６の形成工程における作業性が高められている。すなわち、真珠層１３の表面は平滑度が非常に高く、漆やインク等の塗料が定着しにくいところ、第１コーティング層１５が存在することで、塗料の定着性が高められ、作業効率や歩留まりの向上が図られる。
【００２７】
なお、模様１６は、加飾真珠１０の表面に対して部分的に施す場合に限らず、表面全体に施してもよい。また、模様１６を部分的に施す場合は、必ずしも境界１７の全体を覆うように模様１６を施す必要はなく、境界１７の一部が模様１６によって覆われる構成としてもよい。この場合でも、模様１６がない場合に比べて境界１７を目立ちにくくすることができる。さらに、模様１６は、必ずしも単一色である必要はなく、相互に色が異なる複数の模様を組み合わせて構成されてもよい。これにより、境界１７をより目立ちにくくすることができる。
【００２８】
図２に示すように、模様１６の表面側には、模様１６が付された球状真珠の全体を球状に覆うようにして第２コーティング層１８が設けられている。第２コーティング層１８は、第１コーティング層１５と同様、無色透明又は有色透明のガラスコーティングによって形成される。これにより、模様１６の欠損を防止しつつ、加飾真珠１０の強度を一層高めることができる。すなわち、複数のガラスコーティング層が積層されていることで、真珠層１３の保護を強化できるばかりか、各真珠層１３の分離を外側からも抑えることができ、落下時の衝撃等に対する耐性を好適に高めることが可能になる。
【００２９】
次に、本実施の形態に係る加飾真珠１０の製造方法について、図４を参照しながら説明する。図４は加飾真珠１０の製造手順を示す図である。なお、図４においても、構成を分かり易くするため、第１コーティング層１５、模様１６及び第２コーティング層１８の厚みを大きく記載している。
【００３０】
先ず、図４（ａ），（ｂ）に示すように、半円真珠２１から真珠層１３を残した状態で真珠核２２を除去する。これにより、真珠層１３の内側に半球状の空間部２３を形成し、半球殻状の真珠２４（真珠層１３）を得る。
【００３１】
次いで、概ね同じ大きさ（開口部における周縁が概ね同一形状）の真珠層１３を一対選択する。図４（ｃ）に示すように、それらを向かい合わせた状態で、各真珠層１３の空間部２３に接着剤１４としての接着性コンポジットレジンを充填する。
【００３２】
接着剤１４の充填にあたっては、先ず、選択した一対の真珠層１３のうちの一方を、開口端側を上方に向けた状態で設置台に設置し、当該真珠層１３の内側に接着性コンポジットレジンを注入する。その際、２つの真珠層１３を対向させた場合に形成される内部球状空間の容量よりも若干多めに上記レジンを入れる。そして、上方から他方の真珠層１３を被せ、上記内部球状空間の全体にレジンが満たされるように、両真珠層１３を接近させる。
【００３３】
接着剤１４を固化させて２つの真珠層１３を接合した後、図４（ｄ）に示すように、真珠層１３の境界１７からはみ出た接着剤１４を除去する。その際、２つの真珠層１３が境界１７で滑らかに繋がるように、真珠層１３における境界１７の近傍領域を研磨する。
【００３４】
次に、第１コーティング層１５を定着し易くするため、真珠層１３を耐水サンドペーパによって研磨し、真珠層１３の表面全体に微細な凹凸を形成する。なお、微細な凹凸とは、例えば、１０００〜２５００程度の粒度を有する耐水サンドペーパによって研磨した場合に形成されるものを言う。
【００３５】
図４（ｅ）に示すように、第１コーティング層１５としてのガラスコーティング層を、真珠層１３が研磨された球状真珠の表面全域に塗布し、その後、図４（ｆ）に示すように、第１コーティング層１５の表面に模様１６を形成する。最後に、図４（ｇ）に示すように、第２コーティング層１８としてのガラスコーティング層を、模様１６が形成された球状真珠の表面全域に塗布する。これにより、加飾真珠１０が完成する。
【００３６】
以上詳述した本実施の形態によれば、以下の優れた効果が得られる。
【００３７】
・複数の半真珠１１を組み合わせて球状真珠を形成する構成としたため、半円真珠を用いて１の球状真珠を得ることができる。その際、半真珠１１の境界を含む球状真珠の表面に不透明な模様１６を施すことで、境界１７を目立ちにくくすることができる。これにより、合体真珠の見栄えを向上させることができ、装飾品としての真珠の価値を高めることが可能になる。
【００３８】
・模様１６において、単位面積当たりの密度や濃淡の変化により、境界１７で濃く、それ以外の部分が境界１７よりも薄くなる構成とした。これにより、真珠としての光沢感を残しながら、境界１７を目立ちにくくすることができる。加えて、模様１６の密度や濃淡の変化があることで、装飾としての自然さや芸術性を担保し易くなるという効果も期待できる。例えば、濃さが一様の単線画を境界１７に沿って付した場合等、密度や濃度に抑揚のない構成では、単調な模様しか表現することができないばかりか、真珠として不自然な印象を与えるおそれがある。この点、本実施の形態によれば、模様としての表現の自由度を拡大することができ、装飾性や芸術性を高めることが可能になる。
【００３９】
・真珠層１３の表面に第１コーティング層１５を形成する構成とした。これにより、真珠層１３同士の接合を真珠層１３の内外から保持することができ、真珠層１３の剥離を抑制することが可能になる。そればかりか、第１コーティング層１５を表面全体に設けることで、水分の浸入を抑制することができ、水分の付着による真珠層１３の変質や劣化を抑制することが可能になる。
【００４０】
さらに、第１コーティング層１５の表面に模様１６を付し、模様１６の表面に第２コーティング層１８を形成する構成とした。この場合、第１コーティング層１５により模様１６の付着を容易化し、かつ第２コーティング層１８により模様１６の剥離を抑制することができる。さらに、両コーティング層１５，１８を表面全体に形成することで、水分の浸入に対して二重の防御を施すことが可能になり、耐久性の一層の向上に寄与することができる。
【００４１】
・半円真珠から真珠核２２を除去することで真珠層１３を得る構成とした。これにより、効率よく大粒の球状真珠を製造することが可能になる。
【００４２】
・一対の真珠層１３によって形成される内部球状空間の全体にいきわたるように接着剤１４を充填させる構成とした。これにより、加飾真珠１０を落下等させても割れにくくすることができ、耐衝撃性を高めることが可能になる。しかも、一対の真珠層１３の内部に接着剤１４を充填させるだけの簡単な工程で足り、生産性を高めることも可能になる。
【００４３】
なお、特許文献１に記載の加飾真珠は、真珠核を除去した半円真珠の内側に半球状に樹脂を充填させ、樹脂を充填させた半円真珠（半球体）同士を接着剤により接合する構成とされている。この場合、真珠を落下等させた際に、接着面に沿って真珠が割れ易くなり、二分化や亀裂が奥深くまで生じるなどの不都合が懸念される。この点、本実施の形態では、接着剤１４により加飾真珠１０の内部が一部材化されるため、上記不都合を好適に抑制することが可能になる。
【００４４】
また、特許文献２には、真珠表面に形成した窪みに貴石等の装飾エレメントを嵌め込む加飾真珠が開示されている。この加飾真珠では、上記窪みに嵌めこんだ装飾エレメントを真珠内部から支持すべく、真珠核を円錐台状等の特殊形状に加工し、当該真珠核を内包した状態で半球殻状の一対の真珠層を結合させる構成とされている（特許文献２の段落００４１〜００４４欄等を参照）。しかしながら、真珠核の凹凸加工が複雑であるばかりか、都度の貴石形状に合わせて真珠核の加工形状も変える必要があることから、製造工程の画一化も困難となる。このため、製造が容易でなく、本実施の形態のように生産性を高めることはできない。
【００４５】
・接着剤１４として歯科用の接着性コンポジットレジンを用いる構成とした。これにより、乾燥不足による強度低下を好適に抑制することが可能になる。さらに、歯科用の接着性コンポジットレジンは、人の歯色に合わせて白色系を有しているため、仮に真珠層１３を通して内部の接着剤１４が透けたとしても、真珠本来の色感を阻害しにくいという利点もある。
【００４６】
＜その他の実施形態＞
本発明は上記実施の形態に限らず、例えば次のように実施されてもよい。
【００４７】
（１）上記実施の形態において、真珠層１３の内部に、接着剤１４とともに、内部球状空間よりも十分に小さい真珠核を少なくとも１個入れてもよい。この場合の真珠核は、半真珠１１，１２から取り出した真珠核２２を加工したり、砕けた屑を利用したりするものでもよいし、小サイズの他の半真珠から取り出した真珠核を再利用するものでもよい。これにより、加飾真珠１０（合体真珠）の重みを真珠本来の重みに近づけることができ、真珠核を有効活用しながら重量感を調整することが可能になる。
【００４８】
（２）上記実施の形態では、第１及び第２コーティング層１５，１８を備えるが、これらのうち一方のみを備える構成でもよいし、両方を備えない構成としてもよい。
【００４９】
（３）上記実施の形態では、半円真珠から真珠層１３を得る構成としたが、これに限定されるものではなく、例えば、異形の真円真珠を半球状に切削加工したものから真珠層１３を得る構成としてもよい。また、半円真珠から得た真珠層１３と、異形の真円真珠を切削加工して得た真珠層１３とを組み合わせて球状真珠を形成してもよい。
【００５０】
（４）上記実施の形態では、模様１６としてグラデーション等を用いる構成としたが、模様１６の種類はこれに限定されるものではなく、キャラクタや風景、幾何学模様等を描くものであってもよい。また、漆やインク等の塗料を用いたものに限定されず、例えば、シール状の模様や模様が印刷されたシールを貼付等するものであってもよい。
【００５１】
（５）上記実施の形態では、接着剤１４として歯科用の接着性コンポジットレジンを用いたが、家庭用接着剤や工業用接着剤等の他の接着剤を用いる構成としてもよい。
【００５２】
（６）上記実施の形態では、半真珠１１の開口端と半真珠１２の開口端とが当接する構成としたが、両開口端が若干離間し（半真珠１１，１２が接近状態で対向する構成とし）、それらの間に接着剤１４が介在する構成としてもよい。この場合、半真珠１１，１２の間から接着剤１４が露出するものの、接着剤１４の注入後に真珠層１３同士を接近させる際に（図４（ｃ）参照）、真珠層１３を強く押し付ける結果、真珠層１３が割れてしまうという不都合を抑制することができる。
【００５３】
（７）上記実施の形態では、接着剤１４を一対の半真珠１１，１２により形成される内部球状空間の全体にいきわたらせ、加飾真珠１０の内部で境界が形成されない構成としたが、当該内部に境界が形成される構成としてもよい。この場合、半真珠１１，１２の境界と上記内部の境界との位置が一致しない（両境界が不連続となる）構成するとよい。これにより、加飾真珠１０を落下等させた場合に、加飾真珠１０が二分化されたり、亀裂が奥深くまで生じたりするなどの不都合を抑制できる。
【符号の説明】
【００５４】
１０…加飾真珠、１１…半真珠、１２…半真珠、１３…真珠層、１４…接着剤、１５…第１コーティング層、１６…模様、１７…境界、１８…第２コーティング層。
【図１】
2018064865.tif 000003
【図２】
2018064865.tif 000004
【図３】
2018064865.tif 000005
【図４】
2018064865.tif 000006
【手続補正書】
【提出日】平成29年5月30日(2017.5.30)
【手続補正１】
【補正対象書類名】特許請求の範囲
【補正対象項目名】全文
【補正方法】変更
【補正の内容】
【特許請求の範囲】
【請求項１】
一対の半球状の真珠を組み合わせて、球状の真珠を形成する第１工程と、
前記半球状の真珠同士の境界を含む前記球状の真珠の表面に、模様を施す第２工程と、を備え、
前記第１工程は、
前記半球状の真珠から真珠核を除去して、半球殻状の真珠を得る工程と、
前記半球殻状の真珠の内部に接着剤を充填する工程と、
一対の前記半球殻状の真珠を、その開口縁同士を対向させ、前記接着剤が固化する前に、前記一対の半球殻状の真珠により形成される内部球状空間の全体に前記接着剤をいきわたらせる工程と、
前記内部球状空間内の前記接着剤を固化させる工程と、
を備えることを特徴とする加飾真珠の製造方法。
【請求項２】
前記接着剤は歯科用の接着性コンポジットレジンである、請求項１に記載の加飾真珠の製造方法。
【請求項３】
前記接着剤を充填する工程において、前記内部球状空間よりも小さい少なくとも１個の真珠核を、前記半球殻状の真珠の内部に入れる、請求項１又は２に記載の加飾真珠の製造方法。
【請求項４】
前記第１工程と前記第２工程との間に、前記球状の真珠の表面全域に、第１コーティング層を施す第１コーティング工程を備え、
前記第２工程の後に、前記球状の真珠の表面全域に、第２コーティング層を施す第２コーティング工程を備える、請求項１〜３のいずれか１項に記載の加飾真珠の製造方法。
【請求項５】
前記第１工程と前記第１コーティング工程との間に、前記球状の真珠の表面に微細な凹凸を形成する工程を備える、請求項４に記載の加飾真珠の製造方法。
【手続補正３】
【補正対象書類名】明細書
【補正対象項目名】０００１
【補正方法】変更
【補正の内容】
【０００１】
本発明は、加飾真珠の製造方法に関する。
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】変更
【補正の内容】
【０００９】
上記目的を達成するために、本発明に係る加飾真珠の製造方法は、一対の半球状の真珠を組み合わせて、球状の真珠を形成する第１工程と、前記半球状の真珠同士の境界を含む前記球状の真珠の表面に、模様を施す第２工程と、を備え、前記第１工程は、前記半球状の真珠から真珠核を除去して、半球殻状の真珠を得る工程と、前記半球殻状の真珠の内部に接着剤を充填する工程と、一対の前記半球殻状の真珠を、その開口縁同士を対向させ、前記接着剤が固化する前に、前記一対の半球殻状の真珠により形成される内部球状空間の全体に前記接着剤をいきわたらせる工程と、前記内部球状空間内の前記接着剤を固化させる工程と、を備えることを特徴とする。
【手続補正６】
【補正対象書類名】明細書
【補正対象項目名】００１０
【補正方法】変更
【補正の内容】
【００１０】
本発明によれば、半球状の真珠を組み合わせて球状の真珠を得る場合に生じる境界を模様によって目立たなくすることができ、装飾品としての価値を損なうことを抑制できるばかりか、装飾品としての価値を却って高めることも可能となる。さらに、本発明によれば、簡単な工程により、半球状の真珠を組み合わせた球状の真珠が割れにくくなるようにできる。